(57)【要約】【課題】カウンタ数を増加することなく、選択的な各種積算機能を増加することを可能とする。【解決手段】共通カウンタ記憶手段１２と、共通カウンタ管理装置２０との間で通信を行う通信手段１５と、通信手段１５を介して共通カウンタ管理装置２０から、複数の計数対象の中から前記共通カウンタに計数すべき計数対象を識別するための識別情報を取得する識別情報取得手段１１ａ１と、前記取得した識別情報が示す計数対象を共通カウンタに計数する計数手段１１ａ２と、通信手段１５を介して共通カウンタ管理装置２０から、共通カウンタにおける積算値の取得を要求する取得要求を受信する取得要求受信手段１１ａ３と、前記取得要求の受信に応じて共通カウンタ管理装置２０に共通カウンタの積算値を示す共通カウンタ情報を送信する共通カウンタ情報送信手段１１ａ４と、を有する。【選択図】図１
2010014645.tif 000002
【特許請求の範囲】
【請求項１】
共通カウンタを記憶する共通カウンタ記憶手段と、
前記共通カウンタを管理する共通カウンタ管理装置との間で通信を行う通信手段と、
前記通信手段を介して前記共通カウンタ管理装置から、複数の計数対象の中から前記共通カウンタに計数すべき計数対象を識別するための識別情報を取得する識別情報取得手段と、
前記識別情報取得手段によって取得した識別情報が示す計数対象を、前記共通カウンタに計数する計数手段と、
前記通信手段を介して前記共通カウンタ管理装置から、前記共通カウンタにおける積算値の取得を要求する取得要求を受信する取得要求受信手段と、
前記取得要求受信手段による取得要求に受信に応じて、前記共通カウンタ管理装置に前記共通カウンタの積算値を示す共通カウンタ情報を送信する共通カウンタ情報送信手段と、
を有することを特徴とする共通カウンタ計数装置。
【請求項２】
共通カウンタ計数装置が共通カウンタに計数した積算値を管理する共通カウンタ管理装置であって、
前記共通カウンタ計数装置の通信手段との間で通信を行う管理側通信手段と、
複数の計数対象の中から前記共通カウンタに計数すべき計数対象を識別するための識別情報を、前記管理側通信手段を介して前記共通カウンタ計数装置に識別情報送信手段と、
前記共通カウンタの積算値の取得を要求する取得要求を、前記管理側通信手段を介して前記共通カウンタ計数装置に送信する取得要求送信手段と、
前記取得要求の送信に応じて、前記管理側通信手段を介して前記共通カウンタ計数装置から前記共通カウンタの積算値を示す共通カウンタ情報を受信する共通カウンタ情報受信手段と、
前記共通カウンタ情報受信手段によって受信した共通カウンタ情報と該共通カウンタ情報を送信した前記共通カウンタ計数装置に送信した前記識別情報に基づいて、前記共通カウンタ情報から前記計測対象の積算値を抽出する積算値抽出手段と、
前記積算値抽出手段が抽出した積算値を管理する積算値管理手段と、
を有することを特徴とする共通カウンタ管理装置。
【請求項３】
請求項１記載の共通カウンタ計数装置と、請求項２記載の共通カウンタ管理装置と、を有することを特徴とする共通カウンタ計数システム。
【発明の詳細な説明】
【技術分野】
【０００１】
本発明は、複数種類の積算機能の中から選択された積算機能が共通カウンタを用いて積算する共通カウンタ計数装置、共通カウンタ管理装置、及び、共通カウンタ計数システムに関するものである。
【背景技術】
【０００２】
特許文献１等に示すように、マイコンメータ（マイコンガスメータ）には、ガス事業者がガス料金の割引き等に使用するための個別積算機能がある。この個別積算機能には、流量域毎に積算する流量区分別積算、所定の時間以上継続して使用した場合に積算する継続使用積算、等がある。そして、これらの積算をするために、マイコンの内部には流量域毎のカウンタ、継続使用カウンタ等の各種カウンタを保持している。また、これらのカウンタには、履歴を残すために前回カウンタを備えている場合もある。
【０００３】
マイコンメータの各種カウンタには、センターの管理装置、ハンディターミナルなどの設定器等から読み出すために、通信用の電文が設けられている。そして、マイコンメータは受信した電文が示すカウンタの積算値を、前記電文の要求元に送信する。
【特許文献１】特開２００５−１０００２号公報
【発明の開示】
【発明が解決しようとする課題】
【０００４】
上述したマイコンメータ等において、ガス器具を判別してガス器具毎の計数を行う器具別積算機能を新たに追加しようとした場合、ガス器具毎に積算する必要があるため、各種器具毎に対応したカウンタを設ける必要がある。そして、その新たなカウンタをマイコンメータ等から読み出すには、上述した個別積算機能と同様の電文を新たに設ける必要があった。
【０００５】
このように新たなカウンタを追加するには、マイコンメータ等では電文を識別する機能、また、管理側装置では複数の電文の中からマイコンメータ等に対応した電文を作成して送信する機能等を、双方で追加する必要があり、ガス事業者、ガス消費者などに設備投資等の負担を強いてしまうという問題があった。
【０００６】
また、マイコンメータ等に個別積算機能、器具別積算機能等の複数の機能の全てに対応するには、それらで用いるカウンタの全てを備える必要があり、マイコンメータ等のメモリの容量を増大させてしまうという問題があった。
【０００７】
さらに、上記器具別積算機能は、上記個別積算機能と同様にガス事業者がガス料金の割引き等に使用するための機能であり、個別積算機能と器具別積算機能を同時に使用することはないが、ガス消費者のニーズに合わせて使用したい機能を選別できるようにするためには、マイコンメータ等が全ての機能とそのカウンタを予め設けておく必要があった。
【０００８】
よって本発明は、上述した問題点に鑑み、カウンタ数を増加することなく、選択的に使われる各種積算機能を増加することができる共通カウンタ計数装置、共通カウンタ管理装置、及び、共通カウンタ計数システムを提供することを課題としている。
【課題を解決するための手段】
【０００９】
上記課題を解決するため本発明によりなされた請求項１記載の共通カウンタ計数装置は、図１の基本構成図に示すように、共通カウンタを記憶する共通カウンタ記憶手段１２と、前記共通カウンタを管理する共通カウンタ管理装置２０との間で通信を行う通信手段１５と、前記通信手段１５を介して前記共通カウンタ管理装置２０から、複数の計数対象の中から前記共通カウンタに計数すべき計数対象を識別するための識別情報を取得する識別情報取得手段１１ａ１と、前記識別情報取得手段１１ａ１によって取得した識別情報が示す計数対象を、前記共通カウンタに計数する計数手段１１ａ２と、前記通信手段１５を介して前記共通カウンタ管理装置２０から、前記共通カウンタにおける積算値の取得を要求する取得要求を受信する取得要求受信手段１１ａ３と、前記取得要求受信手段１１ａ３による取得要求に受信に応じて、前記共通カウンタ管理装置２０に前記共通カウンタの積算値を示す共通カウンタ情報を送信する共通カウンタ情報送信手段１１ａ４と、を有することを特徴とする。
【００１０】
上記課題を解決するため本発明によりなされた請求項２記載の共通カウンタ管理装置は、図１の基本構成図に示すように、共通カウンタ計数装置１０が共通カウンタに計数した積算値を管理する共通カウンタ管理装置２０であって、前記共通カウンタ計数装置１０の通信手段１５との間で通信を行う管理側通信手段２６と、複数の計数対象の中から前記共通カウンタに計数すべき計数対象を識別するための識別情報を、前記管理側通信手段２６を介して前記共通カウンタ計数装置１０に識別情報送信手段２１ａと、前記共通カウンタの積算値の取得を要求する取得要求を、前記管理側通信手段２６を介して前記共通カウンタ計数装置１０に送信する取得要求送信手段２１ｂと、前記取得要求の送信に応じて、前記管理側通信手段２６を介して前記共通カウンタ計数装置１０から前記共通カウンタの積算値を示す共通カウンタ情報を受信する共通カウンタ情報受信手段２１ｃと、前記共通カウンタ情報受信手段２１ｃによって受信した共通カウンタ情報と該共通カウンタ情報を送信した前記共通カウンタ計数装置１０に送信した前記識別情報に基づいて、前記共通カウンタ情報から前記計測対象の積算値を抽出する積算値抽出手段２１ｄと、前記積算値抽出手段２１ｄが抽出した積算値を管理する積算値管理手段２１ｅと、を有することを特徴とする。
【００１１】
上記課題を解決するため本発明によりなされた請求項３記載の共通カウンタ計数システムは、図１の基本構成図に示すように、請求項１記載の共通カウンタ計数装置１０と、請求項２記載の共通カウンタ管理装置２０と、を有することを特徴とする。
【発明の効果】
【００１２】
請求項１に記載した本発明の共通カウンタ計数装置によれば、共通カウンタ管理装置から取得した識別情報が示す計数対象を共通カウンタに計数し、共通カウンタ管理装置からの取得要求の受信に応じて、共通カウンタの積算値を示す共通カウンタ情報を共通カウンタ管理装置に送信するようようにしたことから、識別情報で複数の計数対象の中から任意の計数対象を選択することができるため、選択的な積算機能等が追加されても共通カウンタ以外に使用しないカウンタを設ける必要がなくなり、記憶容量の増大を防止することができる。また、共通の取得要求で共通カウンタの積算値等を送信するだけでよいため、選択的な積算機能等が追加されても、共通カウンタ管理装置の改修や買い替えが不要となり、設備投資等の負担を強いることを防止できる。従って、顧客のニーズに合わせて使用したい積算機能を選択できるため、利便性の向上を図ることができる。
【００１３】
請求項２に記載した本発明の共通カウンタ管理装置によれば、共通カウンタ計数装置に共通カウンタの計数対象を示す識別情報と取得要求を送信し、その取得要求に応じて共通カウンタを共通カウンタ計数装置から受信すると、前記識別情報に基づいて共通カウンタ計数装置の計測対象の積算値を共通カウンタ情報から抽出して管理するようにしたことから、選択的な積算機能等が追加されても、１種類の取得要求を共通カウンタ計数装置に送信するだけでよいため、共通カウンタ管理装置の改修や買い替えが不要となり、設備投資等の負担を強いることを防止できる。また、識別情報を共通カウンタ計数装置に送信していることから、その識別情報に基づいて共通カウンタのフォーマット等を確認できるため、共通カウンタ計数装置は取得要求の受信に応じて、共通カウンタの積算値をそのまま送信する機能だけを設ければよくなり、選択的な積算機能等の拡張性を向上させることができる。従って、顧客のニーズに合わせて使用したい積算機能を選択できるため、利便性の向上を図ることができる。
【００１４】
請求項３に記載した本発明によれば、上述した共通カウンタ計数装置及び共通カウンタ管理装置を有しているため、顧客のニーズに合わせて使用したい積算機能を追加させる場合でも、カウンタ数を増加することなく、選択的に使われる各種積算機能を増加することができるため、利便性の向上を図ることができる。
【発明を実施するための最良の形態】
【００１５】
以下、本発明に係る共通カウンタ計数装置と共通カウンタ管理装置とを有する共通カウンタ計数システムの一実施の形態を、図１〜図７の図面を参照して説明する。
【００１６】
図２において、共通カウンタ計数システム１は、請求項中の共通カウンタ計数装置に相当する複数のガスメータ１０と、請求項中の共通カウンタ管理装置２０と、を有して構成している。そして、複数のガスメータ１０と共通カウンタ管理装置２０は、公衆網５等を介した通信が可能な構成となっている。
【００１７】
ガスメータ１０は、図３に示すように、予め定められたプログラムに従って動作するマイクロプロセッサ（ＭＰＵ）１０を有している。ＭＰＵ１０は、周知のように、予め定めたプログラムに従って各種の処理や制御などを行う中央演算処理装置（ＣＰＵ）１１ａ、ＣＰＵ１１ａのためのプログラム等を格納した読み出し専用のメモリであるＲＯＭ１１ｂ、各種のデータを格納するとともにＣＰＵ１１ａの処理作業に必要なエリアを有する読み出し書き込み自在のメモリであるＲＡＭ１１ｃ等を有して構成している。
【００１８】
ＲＯＭ１１ｂは、ＣＰＵ（コンピュータ）１１ａを図１に示す請求項中の識別情報取得手段１１ａ１、計数手段１１ａ２、取得要求受信手段１１ａ３、共通カウンタ情報送信手段１１ａ４、等の各種手段として機能させるための各種プログラムを記憶している。そして、ＣＰＵ１１ａは、そのプログラムを実行することで、上述した各種手段して機能することになる。つまり、ガスメータ１が本発明の共通カウンタ計数装置として機能することになる。
【００１９】
ガスメータ１０はさらに、メモリ部１２と、流量センサ１３と、表示部１４と、図１に示す請求項中の通信手段に相当する通信部１５と、を有しており、各々はＭＰＵ１０と電気的に接続されている。
【００２０】
メモリ部１２は、電力供給が断たれた場合でも、格納された各種データの保持が可能な記録媒体であり、ＣＰＵ１１ａの処理作業に必要な各種格納エリアを有する電気的消去／書き換え可能なメモリ（ＥＥＰＲＯＭ）等が用いられる。メモリ部１２は、図４に示すように、例えば、共通カウンタ１２ａ、識別情報１２ｂ等の各種データを記憶している。よって、本実施形態では、メモリ部１２が図１に示す請求項中の共通カウンタ記憶手段として機能している。
【００２１】
共通カウンタ１２ａは、選択的に機能する例えば、個別積算機能、器具別積算機能、等の複数種類の積算機能が共通で用いるカウンタとなっている。本実施形態では、個別積算機能が有効の場合、特大流量カウンタ、大流量カウンタ、中流量カウンタ、継続使用積算カウンタ、特大流量前回カウンタ、大流量前回カウンタ、中流量前回カウンタ、継続使用積算前回カウンタを、共通カウンタ１２ａが有して構成されることになる。また、器具別積算機能が有効の場合、給湯器カウンタ、浴室暖房カウンタ、床下暖房カウンタ、ファンヒータカウンタ、瞬間湯沸かし器カウンタ、エアコンカウンタ、ガステーブルカウンタ、ストーブカウンタを、共通カウンタ１２ａが有して構成されることになる。
【００２２】
このように共通カウンタ１２ａは、メモリ部１２における所定の記憶領域に、１又は複数のカウンタを割り当てることができる。そして、図４では、各積算機能毎に、共通カウンタ１２ａに８つのカウンタを割り当てた場合について説明するが、複数種類の積算機能毎に異なる数のカウンタを割り当てることができる。よって、共通カウンタ１２ａは、複数種類の積算機能で用いるカウンタ数を考慮して設計することが好ましい。
【００２３】
なお、本実実施形態では、説明を簡単化するために、複数種類の積算機能を、個別積算機能と器具別積算機能とする場合について説明するが、３つ以上の積算機能とすることも可能である。
【００２４】
識別情報１２ａは、上述した複数種類の積算機能を識別するための識別データを有している。そして、ＣＰＵ１１ａは、識別情報１２ａに基づいて計数対象である積算機能を有効とし、ＲＯＭ１１ｂ等に予め記憶している複数種類の積算機能プログラムの中から、該当する１つの積算機能プログラムを実行することで、共通カウンタ１２ａには計数対象となる値が積算されることになる。
【００２５】
流量センサ１３は、例えば、ガス流路に配設された一対の超音波振動子から構成され、センサ回路部（図示せず）を介してＭＰＵ１０と電気的に接続されている。そして、ＭＰＵ１１のＣＰＵ１１ａは、ＲＯＭ１１ｂ等の流量計測処理プログラムを実行することで、流量センサ１３の一対の超音波振動子間の超音波信号伝搬時間に基づいて、ガス流路を通過するガスの流速、流量、流量波形等を算出する。
【００２６】
なお、流量センサ１３については、流量センサ１３がガスメータ１０の内部の可動部（膜）の動きに応じて流量信号を発生し、該流量信号をデジタル変換してＭＰＵ１１に出力したり、フローセンサを用いたりするなど種々異なる実施形態とすることができる。
【００２７】
表示部１４には、ガス使用量の積算値や警報などの各種の情報を表示する液晶表示器（ＬＣＤ）などが用いられ、ＭＰＵ１１からの制御によって表示を行う。通信部１５には、ＮＣＵ（Network Control Unit）が用いられ、電話回線などの公衆回線を介してガス販売業者の管理センター等のセンターとの通信を可能とし、ＭＰＵ１１によって制御される。
【００２８】
次に、上述した構成のガスメータ１０のＣＰＵ１１ａが実行する本発明に係る共通カウンタ判別送信処理の一例を、図５に示すフローチャートを参照して以下に説明する。
【００２９】
ＣＰＵ１１ａによって共通カウンタ判別送信処理が実行されると、ステップＳ１１（識別情報取得手段）において、通信部１５を介して共通カウンタ管理装置２０から、識別情報１２ｂを受信したか否かを判定する。識別情報１２ｂを受信していないと判定した場合（Ｓ１１でＮ）、ステップＳ１５に進む。一方、識別情報１２ｂを受信したと判定した場合（Ｓ１１でＹ）、ステップＳ１２に進む。
【００３０】
ステップＳ１２において、識別情報１２ｂに基づいて積算機能を判別を行う。個別積算機能であると判定した場合（Ｓ１２で個別）、ステップＳ１３において、ＲＯＭ１１ｂ等に記憶している個別積算機能処理プログラムを起動して、ステップＳ１５に進む。これにより、個別積算機能処理（計数手段に相当）は、流量センサ１３からの流量信号に基づいて流量を計測し、上述した共通カウンタ１２ａに流量等を積算する。
【００３１】
一方、ステップＳ１２において、器具判別機能であると判定した場合（Ｓ１２で器具別）、ステップＳ１４において、ＲＯＭ１１ｂ等に記憶している器具別積算機能処理プログラムを起動して、ステップＳ１５に進む。これにより、器具別積算機能処理（計数手段に相当）は、ガス流路の流量や圧力に基づいてガス器具の判別を行い、そのガス器具に対応した共通カウンタ１２ａのカウンタ項目に流量等を積算する。
【００３２】
ステップＳ１５（取得要求受信手段）において、通信部１５を介して共通カウンタ管理装置２０から、取得要求（取得要求に対応した電文）を受信したか否かを判定する。取得要求を受信していないと判定した場合（Ｓ１５でＮ）、ステップＳ１１に戻り、一連の処理を繰り返す。一方、取得要求を受信したと判定した場合（Ｓ１５でＹ）、ステップＳ１６（共通カウンタ情報送信手段）において、メモリ部１２の共通カウンタ１２ａを取得し、その共通カウンタ１２ａを有する共通カウンタ情報を作成し、通信部１５を介してその共通カウンタ情報を共通カウンタ管理装置２０に送信し、その後ステップＳ１１に戻り、一連の処理を繰り返す。
【００３３】
次に、本発明の共通カウンタ管理装置２０の概略構成の一例を以下に説明する。
【００３４】
図６において、共通カウンタ管理装置２０は、周知であるパーソナル・コンピュータ（パソコン）を用いており、予め定めたプログラムに従って装置全体の動作の制御などを行う中央演算処理装置（ＣＰＵ）２１を有している。このＣＰＵ２１には、バスＢを介してＣＰＵ２１のためのプログラム等を格納した読み出し専用のメモリであるＲＯＭ２２、ＣＰＵ２１の処理作業に必要な各種データを格納する作業エリア等を有する読み出し書き込み自在のメモリであるＲＡＭ２３が接続されている。
【００３５】
ＣＰＵ２１には、記憶装置２４がバスＢを介して接続されており、この記憶装置２４にはハードディスク装置、大容量のメモリなどが用いられる。記憶装置２４は、ＣＰＵ（コンピュータ）２１を図１に示す請求項中の識別情報送信手段２１ａ、取得要求送信手段２１ｂ、共通カウンタ情報受信手段２１ｃ、積算値抽出手段２１ｄ、積算値管理手段２１ｅ等の各種手段として機能させるための共通カウンタ管理プログラム等の各種プログラムを記憶している。そして、ＣＰＵ２１は、識別情報送信手段として機能すると、通信装置２６を介してガスメータ１０に識別情報を送信する。
【００３６】
記憶装置２４は、ガスメータ１０に送信した識別情報１２ｂを、複数のガスメータ１０の各々に関連付けて記憶している。そして、その識別情報１２ｂを参照することで、ガスメータ１０はどの積算機能が有効になっているかを判別可能となっている。また、記憶装置２４は、複数種類の積算機能の各々に対応した共通カウンタ１２ａのフォーマット（データ構造）を示すフォーマット情報を記憶している。
【００３７】
ＣＰＵ２１には、入力装置２５、通信装置２６、表示装置２７等がバスＢを介して接続されている。入力装置２５は、キーボード、マウス等を有しており、利用者の操作に応じた入力データをＣＰＵ２１に出力する。通信装置２６は、図１に示す請求項中の管理側通信手段に相当し、ＬＡＮカード、携帯電話用モデム等の通信機器を用いている。そして、通信装置２６は、受信した情報をＣＰＵ２１に出力するとともに、ＣＰＵ２１から入力された情報を指示された送信先に送信する。
【００３８】
表示装置２７は、周知である液晶ディスプレイ、ＣＲＴ等の各種表示器が用いられる。そして、表示装置２７は、ＣＰＵ２１の制御によって例えばガスメータ１０から取得した共通カウンタ等の各種情報を表示する。
【００３９】
次に、上述した構成の共通カウンタ管理装置２０のＣＰＵ２１が実行する本発明に係る共通カウンタ管理処理の一例を以下に説明する。
【００４０】
ＣＰＵ２１によって共通カウンタ管理処理が実行されると、ステップＴ３１（取得要求送信手段）において、取得要求に対応した電文を作成し、通信装置２６を介してガスメータ１０にその電文を送信し、ステップＴ３２（共通カウンタ情報受信手段）において、通信装置２６を介してガスメータ１０から、取得要求に対応した共通カウンタ情報を受信したか否かを判定する。共通カウンタ情報を受信していないと判定した場合（Ｔ３２でＮ）、この判定処理を繰り返すことで、共通カウンタ情報の受信を待つ。一方、共通カウンタ情報を受信したと判定した場合（Ｔ３２でＹ）、ステップＴ３３に進む。
【００４１】
ステップＴ３３において、受信した共通カウンタ情報やその取得要求に基づいて、該当する識別情報１２ｂを記憶装置２４から取得し、ステップＴ３４（積算値抽出手段）において、その識別情報１２ｂが示す積算機能に対応した前記フォーマット情報を記憶装置２４から取得し、該フォーマット情報に基づいて共通カウンタ情報から、共通カウンタ１２ａのカウンタ項目の積算値を抽出し、ステップＴ３５（積算値管理手段）において、抽出した積算値をガスメータ１０に関連付けて記憶装置２４等に記憶し、処理を終了する。
【００４２】
なお、識別情報１２ｂの取得については、ガスメータ１０から取得するなど種々異なる実施形態とすることができる。また、積算値管理については、積算値の記憶以外にも、積算値の表示や積算値の送信、転送など種々異なる実施形態とすることができる。
【００４３】
次に、上述した構成の共通カウンタ計数システム１におけるガスメータ１０及び共通カウンタ計数装置２０の本発明に係る動作（作用）の一例を、以下に説明する。
【００４４】
共通カウンタ計数装置２０は、ガス業者等によって指定された積算機能を示す識別情報１２ｂをガスメータ１０に送信する。そして、ガスメータ１０は、識別情報１２ｂを受信すると、その識別情報１２ｂに対応した積算機能を起動して、積算機能に対応した計測等を行い、その値を共通カウンタ１２ｂに積算する。
【００４５】
その後、共通カウンタ計数装置２０は、予め定められた取得タイミングで、取得要求をガスメータ１０に送信する。そして、ガスメータ１０は、取得要求に受信に応じて、メモリ部１２の共通カウンタ１２ａに基づいて共通カウンタ情報を作成し、該共通カウンタ情報を共通カウンタ計数装置２０に送信する。
【００４６】
共通カウンタ計数装置２０は、共通カウンタ情報を受信すると、取得要求に対応した識別情報１２ａからガスメータ１０で有効になっている積算機能を判別し、その積算機能に対応したフォーマット情報に基づいて共通カウンタ情報から共通カウンタ１２ａの積算値を抽出して管理する。
【００４７】
以上説明したガスメータ（共通カウンタ計数装置）１０によれば、共通カウンタ管理装置２０から取得した識別情報１２ｂが示す計数対象を共通カウンタ１２ａに計数し、共通カウンタ管理装置１０からの取得要求の受信に応じて、共通カウンタ１２ａの積算値を示す共通カウンタ情報を共通カウンタ管理装置２０に送信するようようにしたことから、識別情報１２ｂで複数の計数対象の中から任意の計数対象を選択することができるため、選択的な積算機能等が追加されても共通カウンタ１２ａ以外に使用しないカウンタをメモリ部１２等に設ける必要がなくなり、記憶容量の増大を防止することができる。また、共通の取得要求（電文）で共通カウンタの積算値等を送信するだけでよいため、選択的な積算機能等が追加されても、共通カウンタ管理装置２０の改修や買い替えが不要となり、設備投資等の負担を強いることを防止できる。従って、顧客のニーズに合わせて使用したい積算機能を選択できるため、利便性の向上を図ることができる。
【００４８】
また、共通カウンタ管理装置２０によれば、ガスメータ（共通カウンタ計数装置）１０に共通カウンタ１２ａの計数対象を示す識別情報１２ｂと取得要求を送信し、その取得要求に応じて共通カウンタ１２ａをガスメータ１０から受信すると、前記識別情報１２ｂに基づいてガスメータ１０の計測対象の積算値を共通カウンタ情報から抽出して管理するようにしたことから、選択的な積算機能等が追加されても、１種類の取得要求をガスメータ１０に送信するだけでよいため、共通カウンタ管理装置２０の改修や買い替えが不要となり、設備投資等の負担を強いることを防止できる。また、識別情報１２ｂをガスメータ１０に送信していることから、その識別情報１２ｂに基づいて共通カウンタ１２ａのフォーマット等を確認できるため、ガスメータ１０は取得要求の受信に応じて、共通カウンタ１２ａの積算値をそのまま送信する機能だけを設ければよくなり、選択的な積算機能等の拡張性を向上させることができる。従って、顧客のニーズに合わせて使用したい積算機能を選択できるため、利便性の向上を図ることができる。
【００４９】
よって、共通カウンタ計数システム１によれば、上述したガスメータ（共通カウンタ計数装置）１０と共通カウンタ管理装置２０を有しているため、顧客のニーズに合わせて使用したい積算機能を追加させる場合でも、カウンタ数を増加することなく、選択的に使われる各種積算機能を増加することができるため、利便性の向上を図ることができる。
【００５０】
なお、上述した本実施形態では、共通カウンタ管理装置２０をパソコンで実現する場合について説明したが、本発明はこれに限定するものではなく、例えば、ハンディーターミナル、携帯端末装置、携帯電話機等の各種装置で共通カウンタ管理装置２０を実現することができる。
【００５１】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００５２】
【図１】本発明に係る共通カウンタ計数システムの基本構成を示す構成図である。
【図２】本発明に係る共通カウンタ計数システムの概略構成の一例を示す構成図である。
【図３】図２のガスメータの概略構成の一例を示す構成図である。
【図４】図３のメモリ部の本発明に係るメモリマップの一例を示す図である。
【図５】図３のＣＰＵが実行する共通カウンタ判別送信処理の一例を示すフローチャートである。
【図６】図２の共通カウンタ管理装置の概略構成の一例を示す構成図である。
【図７】図６のＣＰＵが実行する共通カウンタ管理処理の一例を示すフローチャートである
【符号の説明】
【００５３】
１    共通カウンタ計数システム
１０    共通カウンタ計数装置（ガスメータ）
１１ａ１    識別情報取得手段（ＣＰＵ）
１１ａ２    計数手段（ＣＰＵ）
１１ａ３    取得要求受信手段（ＣＰＵ）
１１ａ４    共通カウンタ情報送信手段（ＣＰＵ）
１２    共通カウンタ記憶手段（メモリ部）
１５    通信手段（通信部）
２０    共通カウンタ管理装置
２１ａ    識別情報送信手段（ＣＰＵ）
２１ｂ    取得要求送信手段（ＣＰＵ）
２１ｃ    共通カウンタ情報受信手段（ＣＰＵ）
２１ｄ    積算値抽出手段（ＣＰＵ）
２１ｅ    積算値管理手段（ＣＰＵ）
２６    管理側通信手段（通信装置）
【図１】
2010014645.tif 000003
【図２】
2010014645.tif 000004
【図３】
2010014645.tif 000005
【図４】
2010014645.tif 000006
【図５】
2010014645.tif 000007
【図６】
2010014645.tif 000008
【図７】
2010014645.tif 000009